【手続補正書】
【提出日】平成26年11月28日(2014.11.28)
【手続補正１】
【補正対象書類名】明細書
【補正対象項目名】発明の名称
【補正方法】変更
【補正の内容】
【発明の名称】画像形成装置及び検知装置
【手続補正２】
【補正対象書類名】明細書
【補正対象項目名】０００１
【補正方法】変更
【補正の内容】
【０００１】
本発明は、画像形成装置及び検知装置に関し、電子写真方式の画像形成装置や、インクジェット方式の画像形成装置などの画像形成装置、特に画像の色味や濃度の安定化を可能にするカラー画像形成装置に関する。
【手続補正３】
【補正対象書類名】明細書
【補正対象項目名】０００８
【補正方法】変更
【補正の内容】
【０００８】
（１）搬送方向に配置された複数のパッチ画像からなるパッチ列画像を記録材上に形成する画像形成手段と、前記画像形成手段により形成されたパッチ列画像を記録材上に定着させる定着手段と、光源と受光部を有し、前記定着手段により記録材上に定着されたパッチ列画像を検知する検知手段と、前記検知手段により検知されたパッチ列画像の検知結果に基づき、前記画像形成手段の画像形成条件を補正する制御手段と、を備える画像形成装置であって、前記制御手段は、前記検知手段によりパッチ列画像を検知することによって前記光源の光度の時間変化に関する情報を取得し、取得した情報に基づいて、前記検知手段により検知したパッチ列画像の検知結果を補正することを特徴とする画像形成装置。
（２）搬送方向に配置された複数のパッチ画像からなるパッチ列画像を記録材上に形成する画像形成手段と、前記画像形成手段により形成されたパッチ列画像を記録材上に定着させる定着手段と、光源と受光部を有し、前記定着手段により記録材上に定着されたパッチ列画像を検知する検知手段と、前記検知手段により検知されたパッチ列画像の検知結果に基づき、前記画像形成手段の画像形成条件を補正する制御手段と、を備える画像形成装置であって、前記制御手段は、前記検知手段によりパッチ列画像を検知することによって前記光源の光度の時間変化に関する情報を取得し、取得した情報に基づいて、前記光源の光度を調整することを特徴とする画像形成装置。
（３）光源と受光部を有し、記録材の搬送方向に配置され、且つ記録材上に定着された複数のパッチ画像からなるパッチ列画像を検知する検知手段と、前記検知手段によりパッチ列画像を検知することによって前記光源の光度の時間変化に関する情報を取得し、取得した情報に基づいて、前記検知手段により検知したパッチ列画像の検知結果を補正する制御手段と、を備えることを特徴とする検知装置。
（４）光源と受光部を有し、記録材の搬送方向に配置され、且つ記録材上に定着された複数のパッチ画像からなるパッチ列画像を検知する検知手段と、前記検知手段によりパッチ列画像を検知することによって前記光源の光度の時間変化に関する情報を取得し、取得した情報に基づいて、前記光源の光度を調整する制御手段と、を備えることを特徴とする検知装置。
【手続補正４】
【補正対象書類名】明細書
【補正対象項目名】０００９
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
搬送方向に配置された複数のパッチ画像からなるパッチ列画像を記録材上に形成する画像形成手段と、
前記画像形成手段により形成されたパッチ列画像を記録材上に定着させる定着手段と、
光源と受光部を有し、前記定着手段により記録材上に定着されたパッチ列画像を検知する検知手段と、
前記検知手段により検知されたパッチ列画像の検知結果に基づき、前記画像形成手段の画像形成条件を補正する制御手段と、
を備える画像形成装置であって、
前記制御手段は、前記検知手段によりパッチ列画像を検知することによって前記光源の光度の時間変化に関する情報を取得し、取得した情報に基づいて、前記検知手段により検知したパッチ列画像の検知結果を補正することを特徴とする画像形成装置。
【請求項２】
前記制御手段が取得した前記光源の光度の時間変化に関する情報を記憶する記憶手段を備え、
前記制御手段は、前記検知手段により記録材を検知した結果に基づいて、前記光源の光度の時間変化に関する情報を取得して前記記憶手段に記憶し、前記記憶手段に記憶した情報に基づいて、前記検知手段により検知したパッチ列画像の検知結果を補正することを特徴とする請求項１に記載の画像形成装置。
【請求項３】
前記パッチ列画像は、パッチを形成した部分とパッチを形成しない部分とから構成され、
前記制御手段は、前記検知手段により前記パッチを形成しない部分を検知した結果に基づいて、前記光源の光度の時間変化に関する情報を取得し、取得した情報に基づいて、前記検知手段により検知した前記パッチを形成した部分の検知結果を補正することを特徴とする請求項１に記載の画像形成装置。
【請求項４】
前記制御手段は、前記検知手段により検知した前記パッチを形成しない部分の複数の検知結果に基づいて、前記光源の光度の時間変化に関する近似曲線を求め、前記近似曲線に基づいて、前記検知手段により検知した前記パッチを形成した部分の検知結果を補正することを特徴とする請求項３に記載の画像形成装置。
【請求項５】
搬送方向に配置された複数のパッチ画像からなるパッチ列画像を記録材上に形成する画像形成手段と、
前記画像形成手段により形成されたパッチ列画像を記録材上に定着させる定着手段と、
光源と受光部を有し、前記定着手段により記録材上に定着されたパッチ列画像を検知する検知手段と、
前記検知手段により検知されたパッチ列画像の検知結果に基づき、前記画像形成手段の画像形成条件を補正する制御手段と、
を備える画像形成装置であって、
前記制御手段は、前記検知手段によりパッチ列画像を検知することによって前記光源の光度の時間変化に関する情報を取得し、取得した情報に基づいて、前記光源の光度を調整することを特徴とする画像形成装置。
【請求項６】
前記制御手段が取得した前記光源の光度の時間変化に関する情報を記憶する記憶手段を備え、
前記制御手段は、前記検知手段により記録材を検知した結果に基づいて、前記光源の光度の時間変化に関する情報を取得して前記記憶手段に記憶し、前記記憶手段に記憶した情報に基づいて、前記光源の光度を調整することを特徴とする請求項５に記載の画像形成装置。
【請求項７】
前記パッチ列画像は、パッチを形成した部分とパッチを形成しない部分とから構成され、
前記制御手段は、前記検知手段により前記パッチを形成しない部分を検知した結果に基づいて、前記光源の光度の時間変化に関する情報を取得し、取得した情報に基づいて、前記光源の光度を調整することを特徴とする請求項５に記載の画像形成装置。
【請求項８】
光源と受光部を有し、記録材の搬送方向に配置され、且つ記録材上に定着された複数のパッチ画像からなるパッチ列画像を検知する検知手段と、
前記検知手段によりパッチ列画像を検知することによって前記光源の光度の時間変化に関する情報を取得し、取得した情報に基づいて、前記検知手段により検知したパッチ列画像の検知結果を補正する制御手段と、
を備えることを特徴とする検知装置。
【請求項９】
光源と受光部を有し、記録材の搬送方向に配置され、且つ記録材上に定着された複数のパッチ画像からなるパッチ列画像を検知する検知手段と、
前記検知手段によりパッチ列画像を検知することによって前記光源の光度の時間変化に関する情報を取得し、取得した情報に基づいて、前記光源の光度を調整する制御手段と、
を備えることを特徴とする検知装置。